【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
セルラー式衛星通信を傍受および監視するための方法であって、少なくとも１つの移動装置（ＭＥＳ）と衛星との間の通信が、制御チャネルおよび対応するトラフィックチャネルを含む少なくとも１つの基本チャネルユニットを各々収容する複数の第１バンドスポットビームを含む第１バンドリンクを通じて行われ、かつ、衛星と主局との間の通信が、制御チャネルおよび対応するトラフィックチャネルを含む少なくとも１つの基本チャネルユニットを各々収容する複数の第２バンドスポットビームを収容する広帯域第２バンドリンクを通じて行われる方法であって、
ダウンリンク第１バンドリンクの制御チャネルとダウンリンク第２バンドリンクの対応する制御チャネルとの間のマップを、それぞれの制御チャネルにおける同一の独自のスポットビーム番号（ＳＢ＿Ｍａｓｋ）データを識別することによって検出することを特徴とする方法。
【請求項２】
ｉ）ダウンリンク第１バンドの前記制御チャネルを構成する放送制御チャネル（ＢＣＣＨ）を発見して、これから由来するＳＢ＿Ｍａｓｋ信号を識別し、
ｉｉ）所定の判定基準にしたがってダウンリンク第２バンドリンクにおける少なくとも１本のランダムアクセス制御チャネル（ＲＡＣＨ）を発見して、これから由来するそれぞれのＳＢ＿Ｍａｓｋデータを識別し、
ｉｉｉ）前記ＢＣＣＨチャネルおよびＲＡＣＨチャネルにおける同一のＳＢ−Ｍａｓｋ信号を識別することを含み、前記少なくとも１本のＲＡＣＨのうち、識別されたＳＢ−Ｍａｓｋを有するＲＡＣＨが、ダウンリンク第２バンドの制御チャネルである請求項１に記載の方法。
【請求項３】
前記ＢＣＣＨの発見が、ＢＣＣＨを識別し、ＢＣＣＨ呼率を測定することを含み、ＲＡＣＨの発見が、前記ダウンリンク第２バンドのそれぞれのチャネルにおける複数の信号のエネルギーを実質的に同時に測定することを含み、前記判定基準が、測定したエネルギーを分析することにより、前記ＢＣＣＨ呼率と一致する率でＲＡＣＨ信号を識別することを含み、かつ、前記ＳＢ＿Ｍａｓｋ信号の識別が、同一のＳＢ＿Ｍａｓｋデータを識別するために、前記発見したＢＣＣＨ信号およびＲＡＣＨ信号におけるＳＢ＿ＭＡＳＫデータを分析することを含む請求項２に記載の方法。
【請求項４】
前記ＢＣＣＨ呼率の測定が、時間ユニットあたりのアクセス認可信号（ＡＧＣＨ）の率を測定することを含む請求項３に記載の方法。
【請求項５】
制御チャネルのＲＡＣＨ信号からデータを抽出することをさらに含む請求項１から４のいずれか１項に記載の方法。
【請求項６】
前記抽出したデータが、ＭＥＳの地理的位置を示すＧＰＳデータを含む請求項５に記載の方法。
【請求項７】
前記ダウンリンク第１バンドの制御チャネルにおけるアクセス認可（ＡＧＣＨ）信号を発見し、前記ダウンリンク第２バンドにおける制御チャネルにおける対応するＲＡＣＨ信号を識別することをさらに含み、前記識別が、前記ＡＧＣＨ信号およびＲＡＣＨ信号における同一の要求参照信号を決定することを含む請求項１から６のいずれか１項に記載の方法。
【請求項８】
前記制御チャネルに対応する前記ダウンリンク第２リンクおよびダウンリンク第１リンクにおけるトラフィックチャネル同士のマップを検出することをさらに含む請求項１から７のいずれか１項に記載の方法。
【請求項９】
前記検出が、前記ダウンリンク第１バンドにおいて発見したアクセス認可（ＡＧＣＨ）信号から抽出したデータにしたがって前記第１バンドにおけるトラフィックチャネルへと切り替え、所定の判定基準にしたがってダウンリンク第２バンドリンクにおけるチャネルにおける対応するＳＡＢＭ信号を識別することを含み、後者のチャネルが、前記ダウンリンク第２バンドにおけるトラフィックチャネルである請求項８に記載の方法。
【請求項１０】
前記識別が、前記ダウンリンク第２バンドリンクのチャネルにおけるエネルギーバーストを実質的に同時に測定することを含み、かつ、前記判定基準が、前記（ＡＧＣＨ）信号の第２タイミングと実質的に同一の第１タイミングでそれぞれのエネルギーバーストが起こる少なくとも１本のチャネルを識別し、前記少なくとも１本のチャネルに対して、ＳＡＢＭ信号の順序を有するチャネルを識別することを含み、後者のチャネルが、ダウンリンク第２バンドリンクにおける前記トラフィックチャネルを構成している請求項９に記載の方法。
【請求項１１】
前記トラフィックチャネルにおける通信を処理することをさらに含む請求項８から１０のいずれか１項に記載の方法。
【請求項１２】
前記処理が、前記通信に解読および復調を施して、プレーンメディアデータを生起することを含む請求項１１に記載の方法。
【請求項１３】
前記第１バンドがＬバンドであり、かつ、前記第２バンドがＣバンドである請求項１から１２のいずれか１項に記載の方法。
【請求項１４】
前記衛星が、エイセス（Ａｃｅｓ）である請求項１から１２のいずれか１項に記載の方法。
【請求項１５】
セルラー式衛星通信を傍受および監視するための方法であって、少なくとも１つの移動装置（ＭＥＳ）と衛星との間の通信が、複数の第１バンドチャネルを含む第１バンドリンクを通じて行われ、かつ、衛星と主局との間の通信が、複数の第２バンドチャネルを含む広帯域第２バンドリンクを通じて行われる方法であって、
ダウンリンク第１バンドリンクのチャネルとダウンリンク第２バンドリンクの対応するチャネルとの間のマップを、それぞれの制御チャネルにおける同一の独自のスポットビーム番号（ＳＢ＿Ｍａｓｋ）データを識別することによって検出することを特徴とする方法。
【請求項１６】
前記制御チャネルに対応する前記ダウンリンク第２リンクおよびダウンリンク第１リンクにおけるトラフィックチャネル同士のマップを検出することをさらに含む請求項８から１５のいずれか１項に記載の方法。
【請求項１７】
前記トラフィックチャネルにおける通信を処理することをさらに含む請求項１６に記載の方法。
【請求項１８】
前記処理が、前記通信に解読および復調を施して、プレーンメディアデータを生起することを含む請求項１７に記載の方法。
【請求項１９】
前記第１バンドがＬバンドであり、かつ、前記第２バンドがＣバンドである請求項１５から１８のいずれか１項に記載の方法。
【請求項２０】
前記衛星が、エイセスである請求項１５から１８のいずれか１項に記載の方法。
【請求項２１】
セルラー式衛星通信を傍受および監視するための方法であって、少なくとも１つの移動装置（ＭＥＳ）と衛星との間の通信が、制御チャネルおよび対応するトラフィックチャネルを含む少なくとも１つの基本チャネルユニットを各々収容する複数の第１バンドスポットビームを含む第１バンドリンクを通じて行われ、かつ、衛星と主局との間の通信が、制御チャネルおよび対応するトラフィックチャネルを含む少なくとも１つの基本チャネルユニットを各々収容する複数の第１バンドスポットビームを収容する広帯域第２バンドリンクを通じて行われる方法であって、
前記制御チャネルに対応する前記ダウンリンク第２リンクおよびダウンリンク第１リンクにおけるトラフィックチャネル同士のマップを検出し、前記ダウンリンク第１バンドにおける第１タイミングでアクセス認可（ＡＧＣＨ）信号を発見し、前記第１タイミングに対応する第２タイミングでＳＡＢＭ信号を識別することによってダウンリンク第２バンドリンクにおける対応するトラフィックチャネルを識別することを特徴とする方法。
【請求項２２】
前記検出が、前記ダウンリンク第１バンドにおいて発見したアクセス認可（ＡＧＣＨ）信号から抽出したデータにしたがって前記第１バンドにおけるトラフィックチャネルへと切り替え、所定の判定基準にしたがってダウンリンク第２バンドリンクにおけるチャネルにおける対応するＳＡＢＭ信号を識別することを含み、後者のチャネルが、前記ダウンリンク第２バンドにおけるトラフィックチャネルである請求項２１に記載の方法。
【請求項２３】
前記識別が、前記ダウンリンク第２バンドリンクのチャネルにおけるエネルギーバーストを実質的に同時に測定することを含み、かつ、前記判定基準が、前記ＡＧＣＨの第２タイミングと実質的に同一の第１タイミングでそれぞれのエネルギーバーストが起こる少なくとも１本のチャネルを識別し、前記少なくとも１本のチャネルに対して、ＳＡＢＭ信号の順序を有するチャネルを識別することを含み、後者のチャネルが、ダウンリンクＣバンドリンクにおける前記トラフィックチャネルを構成している請求項２２に記載の方法。
【請求項２４】
前記対応するトラフィックチャネルにおける通信を処理することをさらに含む請求項２１から２３のいずれか１項に記載の方法。
【請求項２５】
前記処理が、前記通信に解読および復調を施して、プレーンメディアデータを生起することを含む請求項２４に記載の方法。
【請求項２６】
前記第１バンドがＬバンドであり、かつ、前記第２バンドがＣバンドである請求項２１から２５のいずれか１項に記載の方法。
【請求項２７】
前記衛星が、エイセスである請求項２１から２５のいずれか１項に記載の方法。
【請求項２８】
セルラー式衛星通信を傍受および監視するための方法であって、少なくとも１つの移動装置（ＭＥＳ）と衛星との間の通信が、複数の第１バンドチャネルを含む第１バンドリンクを通じて行われ、かつ、衛星と主局との間の通信が、複数の第２バンドチャネルを含む広帯域第２バンドリンクを通じて行われ、前記衛星が、第１バンドにおけるチャネルを第２バンドにおけるチャネルへと動的にマップする方法であって、
（ａ）前記動的マッピングに関係なく、ダウンリンク第１バンドリンクのチャネルとダウンリンク第２バンドリンクの対応するチャネルとの間のマップを検出することを特徴とする方法。
【請求項２９】
前記検出が、それぞれの制御チャネルにおける同一の独自のスポットビーム番号（ＳＢ＿Ｍａｓｋ）データを識別することを含む請求項２８に記載の方法。
【請求項３０】
前記制御チャネルに対応する前記ダウンリンク第２リンクおよびダウンリンク第１リンクにおけるトラフィックチャネル同士のマップを検出することをさらに含む請求項２８または２９に記載の方法。
【請求項３１】
前記第１バンドがＬバンドであり、かつ、前記第２バンドがｃバンドである請求項２８から３０のいずれか１項に記載の方法。
【請求項３２】
衛星通信を傍受および監視するための方法であって、少なくとも１つの移動装置（ＭＥＳ）と衛星との間の通信が、複数の第１バンドチャネルを含む第１バンドリンクを通じて行われ、かつ、衛星と主局との間の通信が、複数の第２バンドチャネルを含む広帯域第２バンドリンクを通じて行われる方法であって、
（ｉ）ダウンリンク第１バンドリンクの制御チャネルと前記ダウンリンク第２バンドリンクの対応する制御チャネルとの間のマップを検出し、
（ｉｉ）前記ダウンリンク第１バンドリンクの制御チャネルに関連付けられたトラフィックチャネルと、前記第２バンドリンクの制御チャネルに関連付けられたトラフィックチャネルとの間のマップを検出することを含むことを特徴とする方法。
【請求項３３】
前記検出（ｉ）が、
（１）ダウンリンク第１バンドの前記制御チャネルの放送制御チャネル（ＢＣＣＨ）を発見し、
（２）前記ダウンリンク第２バンドリンクにおける対応するランダムアクセス制御チャネル（ＲＡＣＨ）を発見することを含む請求項３２に記載の方法。
【請求項３４】
前記検出（ｉｉ）が、
（１）ダウンリンク第１バンドの前記制御チャネルにおいて前記ＲＡＣＨに対応するアクセス認可信号（ＡＧＣＨ）をＡＧＣＨデータに基づき発見し、前記ダウンリンク第１バンドリンクの制御チャネルに関連付けられたトラフィックチャネルを識別することを含む請求項３２に記載の方法。
【請求項３５】
前記ＢＣＣＨからスポットビーム番号（ＳＢ＿Ｍａｓｋ）データを抽出し、前記ＲＡＣＨからスポットビーム番号（ＳＢ＿Ｍａｓｋ）データを抽出し、前記抽出したＳＢ(Ｍａｓｋ間で識別を行う場合、前記ＢＣＣＨが前記ＲＡＣＨに対応することを求めることをさらに含む請求項３３に記載の方法。
【請求項３６】
前記ＲＡＣＨから要求参照信号を抽出し、かつ、前記ＡＧＣＨから要求参照信号を抽出し、前記抽出した要求参照信号間で識別を行う場合、前記ＡＧＣＨが前記ＲＡＣＨに対応することを求めることをさらに含む請求項３４に記載の方法。
【請求項３７】
前記トラフィックチャネルにおける通信を処理することをさらに含む請求項３２から３６のいずれか１項に記載の方法。
【請求項３８】
前記処理が、前記通信に解読および復調を施して、プレーンメディアデータを生起することを含む請求項３７に記載の方法。
【請求項３９】
前記第１バンドがＬバンドであり、かつ、前記第２バンドがＣバンドである請求項３２から３８のいずれか１項に記載の方法。
【請求項４０】
衛星が少なくとも１つの追加の制御および関連付けられたトラフィックチャネルをスポットに割振る方法であって、
（ｉ）ダウンリンク第１バンドリンクの追加の制御チャネルと前記ダウンリンク第２バンドリンクの対応する追加の制御チャネルとの間のマップを検出し、
（ｉｉ）前記ダウンリンク第１バンドリンクの追加の制御チャネルに関連付けられた追加のトラフィックチャネルと、前記第２バンドリンクの追加の制御チャネルに関連付けられた追加のトラフィックチャネルとの間のマップを検出することをさらに含む請求項３２から３９のいずれか１項に記載の方法。
【請求項４１】
セルラー式衛星通信を傍受および監視するためのシステムであって、少なくとも１つの移動装置（ＭＥＳ）と衛星との間の通信が、制御チャネルおよび対応するトラフィックチャネルを含む少なくとも１つの基本チャネルユニットを各々収容する複数の第１バンドスポットビームを含む第１バンドリンクを通じて行われ、かつ、衛星と主局との間の通信が、制御チャネルおよび対応するトラフィックチャネルを含む少なくとも１つの基本チャネルユニットを各々収容する複数の第２バンドスポットビームを収容する広帯域第２バンドリンクを通じて行われるシステムであって、ダウンリンク第１バンドリンクの制御チャネルとダウンリンク第２バンドリンクの対応する制御チャネルとの間のマップを、それぞれの制御チャネルにおける同一の独自のスポットビーム番号（ＳＢ＿Ｍａｓｋ）データを識別することによって検出するよう構成されている装置を含むことを特徴とするシステム。
【請求項４２】
セルラー式衛星通信を傍受および監視するためのシステムであって、少なくとも１つの移動装置（ＭＥＳ）と衛星との間の通信が、複数の第１バンドチャネルを含む第１バンドリンクを通じて行われ、かつ、衛星と主局との間の通信が、複数の第２バンドチャネルを含む広帯域第２バンドリンクを通じて行われるシステムであって、ダウンリンク第１バンドリンクのチャネルとダウンリンク第２バンドリンクの対応するチャネルとの間のマップを、それぞれの制御チャネルにおける同一の独自のスポットビーム番号（ＳＢ＿Ｍａｓｋ）データを識別することによって検出するよう構成されている装置を含むことを特徴とするシステム。
【請求項４３】
セルラー式衛星通信を傍受および監視するためのシステムであって、少なくとも１つの移動装置（ＭＥＳ）と衛星との間の通信が、制御チャネルおよび対応するトラフィックチャネルを含む少なくとも１つの基本チャネルユニットを各々収容する複数の第１バンドスポットビームを含む第１バンドリンクを通じて行われ、かつ、衛星と主局との間の通信が、制御チャネルおよび対応するトラフィックチャネルを含む少なくとも１つの基本チャネルユニットを各々収容する複数の第１バンドスポットビームを収容する広帯域第２バンドリンクを通じて行われるシステムであって、前記制御チャネルに対応する前記ダウンリンク第２リンクおよびダウンリンク第１リンクにおけるトラフィックチャネル同士のマップを検出し、前記ダウンリンク第１バンドにおける第１タイミングでアクセス認可（ＡＧＣＨ）信号を発見し、前記第１タイミングに対応する第２タイミングでＳＡＢＭ信号を識別することによってダウンリンク第２バンドリンクにおける対応するトラフィックチャネルを識別することを含むよう構成されている装置を含むことを特徴とするシステム。
【請求項４４】
セルラー式衛星通信を傍受および監視するためのシステムであって、少なくとも１つの移動装置（ＭＥＳ）と衛星との間の通信が、複数の第１バンドチャネルを含む第１バンドリンクを通じて行われ、かつ、衛星と主局との間の通信が、複数の第２バンドチャネルを含む広帯域第２バンドリンクを通じて行われ、前記衛星が、第１バンドにおけるチャネルを第２バンドにおけるチャネルへと動的にマップするシステムであって、前記動的マッピングに関係なく、ダウンリンク第１バンドリンクのチャネルとダウンリンク第２バンドリンクの対応するチャネルとの間のマップを検出するよう構成されている装置を含むことを特徴とするシステム。
【請求項４５】
衛星通信を傍受および監視するためのシステムであって、少なくとも１つの移動装置（ＭＥＳ）と衛星との間の通信が、複数の第１バンドチャネルを含む第１バンドリンクを通じて行われ、かつ、衛星と主局との間の通信が、複数の第２バンドチャネルを含む広帯域第２バンドリンクを通じて行われるシステムであって、ダウンリンク第１バンドリンクの制御チャネルと前記ダウンリンク第２バンドリンクの対応する制御チャネルとの間のマップを検出するよう構成されている装置を含み、前記装置が、前記ダウンリンク第１バンドリンクの前記制御チャネルに関連付けられたトラフィックチャネルと、前記第２バンドリンクの制御チャネルに関連付けられたトラフィックチャネルとの間のマップを検出するようさらに構成されている装置であることを特徴とするシステム。
【請求項４６】
請求項１〜４０のいずれか１項に記載の方法における全工程をコンピュータに実行させるプログラム。
【請求項４７】
請求項４６に記載のプログラムを記録したコンピュータ読み取り可能な記録媒体。